(57)【要約】【課題】  不正解錠手段の中には、何らかの手段によって室内側にあるサムターンを不正に解錠するものも見受けられる。これを解決するには、室内側にも、シリンダーを設置すればよい。  しかし、シリンダー錠は防犯上の観点から精密に作られており、量産できないので、製造コストがかかる。また、シリンダー交換の際、室外側及び室内側の両方のシリンダーを交換しなければならないため、ユーザーサイドから見てもコストがかかる。【解決手段】  そこで、内筒には、合鍵の刻みや窪みに対応するピンやタンブラーを設けず、内筒を後方内筒２と前方内筒４に分離し、後方内筒１にテールピース３と空洞６を設け、前方内筒２にキーガイド５と空洞７を設け、鍵軸１２の断面形状と同じ形のキーガイド５を設けたことを特徴とする簡易シリンダーを開発した。【選択図】図２
2011214377.tif 000002
【特許請求の範囲】
【請求項１】
鍵軸を鍵穴に差して回すことで内筒を回転させて施解錠する錠前用シリンダーにおいて、内筒に、合鍵の刻みや窪みに対応するピンやタンブラーを設けず錠構造に連結するためのテールピース３と、鍵軸１２を収納する空洞６と、鍵軸１２の断面形状と同じ形のキーガイド５を設けたことを特徴とする簡易シリンダー
【請求項２】
請求項１に記載する簡易シリンダーにおいて、テールピース２３を、内筒２１と一体的に設けるのではなく、バネ２６を介して内筒２１に連結することにより、鍵を差さない状態ではテールピース２３はバネ２６の押し出し力で内筒内に引っ込み収納され、バネ２６の押し出し力に抗して鍵を差すとテールピースが後方から突き出て錠構造に連結するようになることを特徴とする簡易シリンダー
【請求項３】
請求項１に記載する簡易シリンダーにおいて、内筒を後方内筒２と前方内筒４に分離し、後方内筒１にテールピース３と空洞６を設け、前方内筒２にキーガイド５と空洞７を設け、空洞７の形状が鍵軸１２の断面形状と同じ形であって、空洞６は任意の形状であることを特徴とする簡易シリンダー
【請求項４】
請求項１に記載する簡易シリンダーにおいて、鍵軸の厚みに合わせたドライバーピン３７とガイドピン３８とバネ３９からなるピン列を設けたことを特徴とする簡易シリンダー
【請求項５】
請求項１乃至請求項６に記載された簡易シリンダーにおいて、内筒位置保持機能を設けたことを特徴とする簡易シリンダー
【発明の詳細な説明】
【技術分野】
【０００１】  本発明は、簡易な構造で施解錠機能を実現する錠前用シリンダーに関する。
【背景技術】
【０００２】  シリンダーの基本構造を図３２に示した。キーガイド６４から空洞６５に向けて鍵を差し込み、内筒６２を回転させることで、テールピース６３が、連結した錠を動かす。【０００３】  図２９に示すシリンダーは、内筒６２と外筒６１との間に複数のタンブラー６６を設けたものである。鍵軸１２に設けた刻みや窪み（ディンプル）の深さが各々のタンブラーの寸法に合致することで内筒の回転が許容される。【０００４】  図３３に示すシリンダーは、内筒６２と外筒６１の間にドライバーピンとガイドピンから成るピン列６９を複数設けたものである。鍵軸１２に設けた刻みや窪みの深さが各々のピン列のドライバーピンの長さと合致することで内筒の回転が許容される。【０００５】  以下の先行技術には、一般的に扉等の室外側で使用されるシリンダーを室内側でも使用する例が示されている。室内側にはサムターンしか付いていないのが一般的であるが、サムターンを自由に操作されたくない場合もあるので、室内側においても補助的にシリンダーを用いることがある。つまり、鍵による室内側シリンダー操作を行ってからでなければ、サムターン操作ができない例が示されている。
【先行技術文献】
【特許文献】
【０００６】
【特許文献１】特許第３９６８２３３号
【特許文献２】特許第４３７１７６３号
【発明の概要】
【発明が解決しようとする課題】
【０００７】  これらのシリンダーは、防犯上、同じものを作ることはできない。それ故、シリンダー毎にタンブラーの形を変えたり、ドライバーピンの長さを変えたりしなければならず、その製造には多大なるコストと時間がかかる。【０００８】  高い防犯性が要求される場面ではコストは二の次で構わないが、それほど高い防犯性までは要しない場面では比較的安価に製造できるシリンダーが望まれている。【０００９】  この点、コストの掛からないシリンダーとして、ダミーシリンダーが存在する。本物の錠前用シリンダー同様、外筒７１と、内筒にあたるコア材７２からなるが、コア材７２にはテールピースは無い。つまり、錠前用シリンダーとしての機能は無い。そのため、心理的な効果はあっても、錠前としての機能が求められる場面では、まるで役に立たない。【００１０】  その一方で、例えば、先行技術文献に示すように、サムターン操作を許容するために室内側で補助的にシリンダーを用いるような場合は、室外側シリンダーほど精密なシリンダーでなくても構わない。【００１１】  そこで、心理的にも機能的も最低限の防犯性を維持しつつ、低コストで製造できる錠前用シリンダーを提供できるようにすることが、本発明の解決課題である。
【課題を解決するための手段】
【００１２】  そこで第一に、内筒に、合鍵の刻みや窪みに対応するピンやタンブラーを設けず、錠構造に連結するためのテールピース３と、鍵軸１２を収納する空洞６と、鍵軸１２の断面形状と同じ形のキーガイド５を設けた。これを「簡易シリンダー」とする。【００１３】  第二に、上記「簡易シリンダー」のバリエーションとして、テールピース２３を、内筒２１と一体的に設けるのではなく、バネ２６を介して内筒２１に連結することにより、鍵を差さない状態ではテールピース２３はバネ２６の押し出し力で内筒内に引っ込み収納され、バネ２６の押し出し力に抗して鍵を差すとテールピースが後方から突き出て錠構造に連結するようになるタイプのものを開発した。【００１４】  第三に、上記「簡易シリンダー」のバリエーションとして、内筒を後方内筒２と前方内筒４に分離し、後方内筒１にテールピース３と空洞６を設け、前方内筒２にキーガイド５と空洞７を設け、空洞７の形状が鍵軸１２の断面形状と同じ形であって、空洞６は任意の形状であるものを開発した。【００１５】  第四に、上記「簡易シリンダー」のバリエーションとして、鍵軸の厚みに合わせたドライバーピン３７とガイドピン３８とバネ３９からなるピン列を設けたものを開発した。【００１６】  第五に、これまでの「簡易シリンダー」に、内筒維持保持機能を付加したものを開発した。
【発明の効果】
【００１７】  安価に製造できる点で、コストパフォーマンスに優れる。【００１８】  キーガイドと同形状の鍵軸を有する鍵がないと操作できないので、防犯性にも優れる。【００１９】  従来から存在するシリンダー、サムターンに加え、本発明に係る簡易シリンダーを開発したことで、図２５乃至２８に示すように、種々のシチュエーションにマッチした使い分けができる。
【図面の簡単な説明】
【００２０】
【図１】簡易シリンダーの斜視図
【図２】図１に示すシリンダーのＡＡ断面図
【図３】図１に示すシリンダーのキーガイド
【図４】図２におけるＢ位置での輪切り断面図
【図５】図２におけるＣ位置での輪切り断面図
【図６】合鍵の側面図
【図７】図６における合鍵のＤ位置での断面図（鍵軸の断面形状）
【図８】内筒に位置保持機能を付加した簡易シリンダーの内部
【図９】図８におけるＥ位置での輪切り断面図
【図１０】内筒２を９０度回転させたときのＥ位置での輪切り断面図
【図１１】バネを介してテールピースを設けた簡易シリンダーに合鍵を挿入した図
【図１２】図１１から合鍵を抜いた図
【図１３】図１２におけるキーガイド２８の形状を表した図
【図１４】図１２に示す簡易シリンダーの分解図
【図１５】鍵軸の厚みに対応するピン列を有する簡易シリンダーの内部
【図１６】図１５におけるＦ位置での輪切り断面図
【図１７】図１５及び図１６におけるピン列の拡大図
【図１８】図１５の簡易シリンダーに対応する合鍵の側面図
【図１９】図１８における合鍵のＧ位置での断面図（鍵軸の断面形状）
【図２０】図１５の簡易シリンダーに図１８の合鍵を挿入した図
【図２１】図２０におけるＦ’位置での輪切り断面図
【図２２】内筒３２を９０度回転させたときのＦ’位置での輪切り断面図
【図２３】図１５における簡易シリンダーを構成する外筒
【図２４】図１５における簡易シリンダーを構成する内筒
【図２５】簡易シリンダーを扉錠の室外側に使用した例
【図２６】簡易シリンダーを扉錠の室内側に使用した例
【図２７】簡易シリンダーを戸先錠の室内側に使用した例
【図２８】簡易シリンダーを引違い戸錠の室内側に使用した例
【図２９】従来のシリンダー錠（ディスクシリンダー錠）
【図３０】図２９のＨ位置における輪切り断面図
【図３１】従来のダミーシリンダーの構造
【図３２】外筒と内筒からなる基本的なシリンダー
【図３３】従来のシリンダー錠（ピンシリンダー錠）
【発明を実施するための形態】
【００２１】  内筒に、合鍵の刻みや窪みに対応するピンやタンブラーを設けず、錠構造に連結するためのテールピース３と、鍵軸１２を収納する空洞６と、鍵軸１２の断面形状と同じ形のキーガイド５を設けたものが、本発明に係る錠前用簡易シリンダーの基本的形態である。
【実施例１】
【００２２】  図１１乃至図１４に示したものが、本実施例である。内筒２１からテールピース２３を分離し、テールピースを内筒に対して可動可能に組み付けたのが本実施例の特徴である。内筒には、テールピースが内筒内に引っ込んで収納される程度の可動溝２７を設け、内筒２１とテールピース２３の間にバネ２６を設け、鍵を抜いた状態では、テールピース２３がバネ２６で押されて内筒２１内に引っ込んだ状態となる。よって、この状態で内筒２１を回転させても内筒２１が空転するだけで、回転操作力は錠構造に一切伝達されない。【００２３】  一方、バネ２６の押し出し力に抗してキーガイド２８から鍵を差すと、テールピースが後方から突き出て錠構造と連結するようになる。この状態で内筒２１を回転させると、その回転操作力が錠構造に伝達される。つまり、キーガイド２８の形状と同様の断面形状の鍵軸１２を深く挿入して回転操作しなければ、施解錠できないということである。
【実施例２】
【００２４】  図２乃至図７に示したものが、本実施例である。内筒を後方内筒２と前方内筒４に分離し、後方内筒２にテールピース３と空洞６を設け、前方内筒２にキーガイド５と空洞７を設けた点を特徴とする。キーガイド５の形状と同様の断面形状の鍵軸１２を深く挿入して回転操作しなければ、施解錠できない。ちょっと挿入しただけでは、前方内筒４が空転するだけで、テールピース３と一体化した後方内筒２は回転せず、回転操作力が錠構造に一切伝達されないからである。【００２５】  なお、本実施例を最も的確に表しているのは図２である。空洞６、空洞７のうち、キーガイド５と一体的・連続的な関係にある空洞７についてはキーガイド５の形状と同一であるが、空洞６の形状は任意とする。
【実施例３】
【００２６】  図１５乃至図２４に示したものが、本実施例である。鍵軸１２の厚みに合わせたドライバーピン３７とガイドピン３８とバネ３９からなるピン列を設けた点を特徴とする。鍵軸１２がピン列を設けた箇所まで到達しなければシアライン（ドライバーピン３７とガイドピン３８の境界線が、外筒３１と内筒３３の境界線と一致するライン）を揃えることができず、内筒３３を回転させることができない。本実施例による防犯効果を得るためには、ピン列は一つだけでも十分であるが、ピン列はできるだけ奥に設けた方が効果的である。【００２７】  なお、図１８に示すように、鍵軸１２に専用のディンプル４０を設けると、格段に防犯性能がアップする。
【実施例４】
【００２８】  これまでの実施例に、内筒を定位置で保持する内筒維持保持機能を付加したのが本実施例である。内筒が自由にくるくる回ったり、キーガイド５がイレギュラーな角度位置で止まっていたりすると、本格的なシリンダーでないことが容易に分かってしまうので、それを防ぐための機能である。これまでの実施例のうち、実施例２（内筒を後方内筒２と前方内筒４に分離したタイプ）をもとに説明する。【００２９】  図８乃至図１０に示すのは、前方内筒４に対して本機能を付加したものである。一般のシリンダーでも利用されるクリックボール１５を使い、クリックバネ１６でクリックボールを押し、クリックボールが窪み１７に入った位置において内筒を保持する。
【産業上の利用可能性】
【００３０】  本発明は、内部構造を簡易化した錠前用シリンダーであり、図２５乃至図２８に示すような利用方法が考えられる。特に、扉錠、戸先錠又は引違い戸錠の室内側シリンダーとしての利用が期待される。
【符号の説明】
【００３１】１…外筒
２…後方内筒
３…テールピース
４…前方内筒
５…キーガイド
６…空洞
７…空洞
８…抜け止め
９…仕切り
１１…ツマミ
１２…鍵軸
１３…鍵先
１５…クリックボール
１６…クリックバネ
１７…窪み
２１…内筒
２２…テールピースガイド
２３…テールピース
２４…固定ピン
２５…空洞
２６…バネ
２７…可動溝
２８…キーガイド
２９…テールピース通し穴
３０…外筒
３１…外筒
３２…固定ピン
３３…内筒
３４…テールピース
３５…空洞
３６…キーガイド
３７…ドライバーピン
３８…ガイドピン
３９…バネ
４０…ディンプル
４１…内筒穴
４２…ピン溝
４３…ピン溝
５１…扉
５２…外側
５３…内側
５４…デットボルト
５５…簡易シリンダー
５６…サムターン
５７…シリンダー
５８…鎌
５９…サムターン
６１…外筒
６２…内筒
６３…テールピース
６４…キーガイド
６５…空洞
６６…タンブラー
６７…ロッキングバー
６８…抜け止め
６９…ピン列
７１…ダミーシリンダー用外筒
７２…ダミーシリンダー用コア材（回転しない内筒）
７３…キーガイド状窪み（ダミーの鍵穴）
【図１】
2011214377.tif 000003
【図２】
2011214377.tif 000004
【図３】
2011214377.tif 000005
【図４】
2011214377.tif 000006
【図５】
2011214377.tif 000007
【図６】
2011214377.tif 000008
【図７】
2011214377.tif 000009
【図８】
2011214377.tif 000010
【図９】
2011214377.tif 000011
【図１０】
2011214377.tif 000012
【図１１】
2011214377.tif 000013
【図１２】
2011214377.tif 000014
【図１３】
2011214377.tif 000015
【図１４】
2011214377.tif 000016
【図１５】
2011214377.tif 000017
【図１６】
2011214377.tif 000018
【図１７】
2011214377.tif 000019
【図１８】
2011214377.tif 000020
【図１９】
2011214377.tif 000021
【図２０】
2011214377.tif 000022
【図２１】
2011214377.tif 000023
【図２２】
2011214377.tif 000024
【図２３】
2011214377.tif 000025
【図２４】
2011214377.tif 000026
【図２５】
2011214377.tif 000027
【図２６】
2011214377.tif 000028
【図２７】
2011214377.tif 000029
【図２８】
2011214377.tif 000030
【図２９】
2011214377.tif 000031
【図３０】
2011214377.tif 000032
【図３１】
2011214377.tif 000033
【図３２】
2011214377.tif 000034
【図３３】
2011214377.tif 000035